(57)【要約】【課題】狭い干し場でも沢山の洗濯物を干す事ができる干し具を提供すること。【解決手段】竿やロープに掛けかつ重しとなるものを掛ける掛け具１に備えられた案内部１′を案内に上下に動く支柱２を有し、更に支柱２は洗濯物を干す干し部材３を有する構造とした。【選択図】図１
2015126849.tif 000002
【特許請求の範囲】
【請求項１】
竿やロープに掛けかつ重しとなるものを掛ける掛け具に備えられた案内部を案内に上下に動く支柱を有し、更に前記支柱は洗濯物を干す干し部材を有する事を特徴とする干し具。
【発明の詳細な説明】
【技術分野】
【０００１】本発明は竿やロープの上の空間に洗濯物を干す干し具に関する。
【背景技術】
【０００２】一般に洗濯物は多数の洗濯バサミを有する洗濯ハンガーを使って竿やロープに吊して干すが（大物の洗濯物は竿やロープに直接掛けて干す）、狭い干し場で沢山の洗濯物を干す場合はスペースが足らず苦労する。
【発明の開示】
【発明が解決しようとする課題】
【０００３】本発明の目的は狭い干し場でも沢山の洗濯物を干せる干し具を提供することであり、竿やロープの上の大きな空間に干す事のできる干し具を提供する事である。
【課題を解決する為の手段】
【０００４】本発明は上記目的を達成する為、竿やロープに掛けかつ重しとなるものを掛ける掛け具に備えられた案内部を案内に上下に動く支柱を有し、更にこの支柱は洗濯物を干す干し部材を有する構造とした。
【発明の効果】
【０００５】本発明によれば洗濯物を干す干し部材３を有する支柱２が竿やロープに掛ける掛け具１に備えられた案内部１′を案内に上下動できる構造としたので、竿やロープの上の大きな空いた空間に洗濯物を干す事ができ、狭い場所でも沢山の洗濯物を干す事ができる。特にシーツやバスタオルなど干すスペースが大きい場合は（大物の洗濯物を竿に直接掛けて干す場合）、洗濯物を干すスペースが足りなくなるので、効果が大きい。
【発明を実施する為の形態】
【０００６】図１（イ）は本発明による干し具を示し、竿やロープに掛ける掛け具１には案内部１′が備えられ、この案内部１′を案内に支柱２が上下に動く様になっている。支柱２には洗濯物を干す干し部材３が備えられている。掛け具１には支柱２がひっくり返るのを防ぐ重しとして、例えば多数の洗濯バサミを有する角ハンガー７が掛けられる。Ａ方向から見た図（断面図）を図１（ロ）に示すが、矢印の如く親指と人差し指とで挟むとバネ５が開いてストッパー６が外れ、図２（イ）の如く支柱２が最も低い位置まで下げる事ができる。従って、この位置で洗濯物（靴下、ハンケチ、ブリーフなどの小物とする）を干し部材３に干すと作業がやり易くなる。そして支柱２を最も高い位置まで持ち上げれば、図１（ロ）で説明した如くバネ５及びストッパー６の作用により自動的に支柱が固定され、図２（ロ）の如く洗濯物を竿やロープの上の空いた空間に干す事ができる。乾いた洗濯物を取り込む時は、図１（ロ）で述べた様に矢印の如く親指と人差し指とで挟むとストッパー６が外れるから、支柱２を最も低い位置まで下げて作業を行なう。本干し具を使用しない時は図２（イ）の状態にしておけば良く、重しとなる角ハンガー７を取り去る必要はない。但し、角ハンガー７を取り去って図３（イ）の如くフック４で全体を竿やロープに吊す事ができるから、この状態で使う事もできる。
図１（ロ）では支柱２を固定する為にバネ５の作用を受けるストッパー６を採用していたが、図１（ハ）の様にネジ８により固定する様にしても良い。
又、図１（イ）では掛け具１として単純なフックを採用していたが図１（ニ）の如く内蔵したバネにより閉鎮力を受けるレバー１０により竿やロープからの落下を防ぐフックを採用しても良い。ところで本干し具はメーカーで工場出荷時は、図３（ロ）の様に支柱２と干し部材３とを分解して重ねて包装しておくとコンパクトとなり、輸送コストが低くなる。消費者は支柱２の先を穴１１に挿入して、完成した干し具として使う。図１（イ）では支柱２は案内部１′を案内として可動的に備えられていたが、図４（イ）の如く差し込み部１２に差し込むだけの構造とする事も考えられる。従って洗濯物を干す時は支柱２を差し込み部１２から抜いて図４（ロ）の様に竿などにフック４で吊して洗濯物を掛け、次に支柱２を持ち上げて差し込み部１２に差し込んで干す様に作業を行なうのである。
【０００７】一般に洗った靴を干す靴干しハンガーは図５（イ）の様に靴の内部に入れて保持する保持部材１３を有し、これに靴を掛けてフック１４により竿やロープに吊して干すが、良く水を切ってからでないと水が垂れて他人に迷惑をかける。従って靴を洗って直ちに干す事ができない不便さがある。
これを解消するには図５（ロ）の如く底部に水受け容器１６を備えるのが良い。こうすると靴を洗った後に直ちに靴干しハンガーに掛けても、靴から垂れた水を水受け容器１６が受けるから、他人に迷惑がかからない。
図５（ロ）の靴干しハンガーは平らな所に置いて靴を干せる特徴を有する。
図５（ロ）の場合、水受け容器１６内の水が溢れる角度θはｔａｎθ＝ｈ／Ｓで与えられる。従って靴干しハンガーが傾いても水受け容器１６から水が溢れ出ない様にするにはＳを小さくするのが良く、この為には図５（ハ）の如く左右の保持部材１３の下に各々水受け容器１６ａ，１６ｂを備えるのが良い（両者は別体でも良く、図示の如く一体型でも良い）。この場合、本体の底部にある挿入部材１７を穴に圧入して本体と水受け容器１６ａ，１６ｂとを一体化させているが（図５（ニ）参照）、スリット１８の幅を大きくして挿入部材１７を太くすればマサツによる固定力を強化できるから、水受け容器１６ａ，１６ｂは通常では回転しない。しかし少し強い力で回転できるから、図５（ヘ）の如く９０°回転させれば水受け容器１６ａ，１６ｂを掃除する場合はやり易くなる。尚、図５（ハ）の場合、図５（ホ）の如く大きな水受け容器を仕切板で仕切って２つの水受け容器１６ａ，１６ｂとしても同等である。
１９は挿入部材１７を圧入する穴である。図５（ハ）の靴干しハンガーも平らな所に置いて靴を干す事ができる。図５（ト）は回動軸を中心に回動可能な回動体２０を本体の底部に備えたもので、回動体２０を９０°回動させる事により上から見ると底部は十の字形になるから、靴干しハンガーを平らな所に置いて干す事ができる。
【０００８】一般に図５の様にフックは靴などの荷重を吊り下げる為に使われ、強い風によっても竿上を移動しない様にする必要に迫られる事があり、この為には図６（イ）の様に自身の弾性力により竿の周囲を締め付ける締め付け部２２を設ける事がある（締め付け部２２の内径は竿の外径より小）。
竿に嵌め込む場合はつまみ２３を持って竿に押し付けて行なう。
しかしながらこの作業には少し強い力が必要であり、竿が高い位置にあるとやり難く、強い風が吹かない日などはフックを竿上に固定する必要はなく、無駄である。これを解消する為に、図６（ロ）の如く締付け部２２を有するフックの他に、竿に透き間を以って入れられるフック２４を設ける事がある。しかしこうすると高さが高くなり、構造が複雑となる欠点を生ずる。以上を解消するフックが図６（ハ）に示され、このフックは自身の弾性力により竿の周囲を締め付ける締付け部２２とここから下方へ延びてくる支持部材２１より成るフックであり、かつ締付け部２２の先端部２２′から延びてくる延長部材２５と支持部材２１との間に竿を入れる構造のフックである。締付け部２２は竿の周囲を締め付けるが、延長部材２５と支持部材２１とは竿を締め付けずに透き間を以って支えるので、強い風が吹かない日はこの間に竿を入れ、従って作業がやり易く、竿が高くても問題ない。角度θが９０°に近い時は延長部材２５の先端部を横に引いて開き（この力は延長部材２５が長いので、テコの原理により小さくて済む）、竿を締付け部２２内に押し入れ、角度θが例えば６０°と小さい時は支持部材２１を下方へ引くだけで自動的に竿は締付け部２２内に押し込まれる（作業が容易である）。以上により図６（ロ）に比べて高さは低く、構造も簡単である。
【０００９】図６（イ）のフックは締付け部２２を有するから、竿上にしっかりと固定されるが、竿に押し入れる時に強い力が必要であり、もう一方の手で竿を支える必要がある（片手ではできない）。又、竿が太い場合はフックを無理に押し開かせる為、折れる事があった。これらの欠点を解消するには、図７（イ）の如く竿を横方向から押圧する押圧部材２６を備えるのが良い。この押圧部材２６はフック自身の材料と同じ材料で一体的に形成されており、押圧部材２６自身の弾性力により竿に押圧力を与えているのである。押圧部材２６はフックの竿を囲む部分の内部にあり、矢印の如く力を及ぼす様に片手で握って押圧部材２６を開くと、竿に及ぼす押圧力は０となり（透き間ができる）、これはフックを竿にかける時又は竿から外す時に行なう。以上によりフックを竿にかける時も竿から外す時も片手で行なう事ができ、押圧部材２６は十分に長く、従って無理なく大きな変形にも対処でき、折れる事はない。図７（イ）の押圧部材２６の根本部は竿の上方位置にあるが、下方位置にあるものを図７（ロ）に示す。
【００１０】図５の如く踵当て部１６′（必要不可欠なものではない）を形成し、ここに靴の踵を当てて干すと、踵当て部１６′は窪んでいるから靴の踵はずれ動くことがなく、確実に靴内部からの水が水受け容器１６に流れ込む。
図５において踵当て部１６′を支持部材１５に備えたものに相当する靴干しハンガーを図８（イ）に示す。即ち図８（イ）において、本靴干しハンガーは靴の内部に入れて靴を保持する保持部材２７と、靴の踵に当てて靴を保持する踵当て部材２８とを備えており、靴の重量は主として踵当て部材２８で支え、保持部材２７は靴の倒れを防ぐ役目を果している（靴干しハンガーに靴を掛けた図８（ロ）参照）。
踵当て部材２８には、これに当てた靴の踵が容易にはＹ方向にずれ動かない様に踵の一部が嵌り込む窪みを形成したり、図示の如く２又に分岐する様に形成する事が望ましい。又、踵がＸ方向（踵当て部材２８が伸びてくる方向）にずれ動かない様にストッパー部２９（段差部）を備える事が望ましい。以上により靴の踵は容易にはずれ動かないから、洗った靴の内部からの水は確実に水受け容器３０に流れ込む。水受け容器３０は左右の靴共有の容器としても良いし、図示の如く仕切板により二分しても良いし、更には各々別個の容器としても良い。水受け容器３０があるから、洗って直ちに靴を干しても水が垂れて他人に迷惑をかける事はない。尚、図８（ハ）の如く保持部材２７の内側に備えられたバネ部材２７′により靴を軽く固定する様にしても良い。
【図面の簡単な説明】
【００１１】
【図１】本発明による干し具を示す図。
【図２】本発明による干し具の各使用状態を示す図。
【図３】干し具の各実施例を示す図。
【図４】支柱差し込み構造の干し具の図。
【図５】靴干しハンガーを示す図。
【図６】竿上に固定できるフックの図。
【図７】竿上に固定できるフックの図。
【図８】靴干しハンガーの図。
【符号の説明】１は掛け具、１′は案内部、２は支柱、３は干し部材、４はフック、５はバネ、６はストッパー、７は重し（角ハンガー）、８はねじ、９は掛け具、１０はレバー、１１は穴、１２は差し込み部、１３は保持部材、１４はフック、１５は支持部材、１６・１６ａ・１６ｂは水受け容器、１７は挿入部材、１８はスリット、１９は穴、２０は回動体、２１は支持部材、２２は締付け部、２３はつまみ、２２′は締付け部の先端部、２４はフック、２５は延長部材、２６は押圧部材、１６′は踵当て部、２７は保持部材、２８は踵当て部材、２９はストッパー部、３０は水受け容器、３１は支持部材である。２７′はバネ部材。
【図１】
2015126849.tif 000003
【図２】
2015126849.tif 000004
【図３】
2015126849.tif 000005
【図４】
2015126849.tif 000006
【図５】
2015126849.tif 000007
【図６】
2015126849.tif 000008
【図７】
2015126849.tif 000009
【図８】
2015126849.tif 000010